(57)【要約】【課題】シャッターを閉じたときでも光源が点灯していることを確認できるプロジェクターを提供する。【解決手段】シャッター４は被投写面と対向する一面と、前記一面と交差する方向に設けられた他面と、前記他面に形成された光透過性の窓部４ｂと、を有し、シャッター位置検出手段１５により、シャッター４が閉鎖位置にあることを検出した場合に、制御手段２０は、光源１１からの光を第１の画像に応じて変調し、変調された変調光を画像投写手段１０より光透過性の窓部４ｂを介して射出するプロジェクター。【選択図】図４
2012230291.tif 000002
【特許請求の範囲】
【請求項１】
光源から射出された光を画像情報に応じて変調し、投写レンズを介して被投写面に投写光を投写する画像投写手段を有するプロジェクターであって、
当該プロジェクターの、筐体に設けられた前記投写レンズ用の開口部を、自在にスライドし閉塞するとともに、前記画像投写手段から前記被投写面に至る前記投写光を遮断するシャッターと、
前記シャッターが開放位置、閉鎖位置のいずれの位置にあるかを検出するシャッター位置検出手段と、
当該プロジェクターの動作を制御する制御手段と、
を備え、
前記シャッターは、前記被投写面と対向する一面と、前記一面と交差する方向に設けられた他面と、前記他面に形成された光透過性を有する窓部と、を有し、
前記シャッター位置検出手段により、前記シャッターが前記閉鎖位置にあることを検出した場合に、前記制御手段は、前記光源からの光を第１の画像に応じて変調し、前記変調された変調光を、前記画像投写手段より前記窓部を介して射出することを特徴とする、プロジェクター。
【請求項２】
請求項１に記載のプロジェクターであって、
前記開口部は、当該プロジェクターの前記被投写面に対向する前面から前記前面に隣接し、鉛直方向上方に設けられた上面に連なって形成され、
前記シャッターは、前記一面と、前記一面と略直交する前記他面と、で形成されるとともに、前記他面には、前記光透過性を有する窓部が配置されていることを特徴とする、プロジェクター。
【請求項３】
請求項１に記載のプロジェクターであって、
前記筐体は、前記開口部に隣接する側面を有しており、
前記シャッターは、蛇腹状に形成され、前記側面に収納されるとともに、当該シャッターにより前記開口部を閉塞した場合に、当該シャッターの前記他面となる部位に前記光透過性を有する窓部が配置されていることを特徴とする、プロジェクター。
【請求項４】
請求項１から３のいずれか一項に記載のプロジェクターであって、
前記シャッターは、前記開口部を閉塞したときに前記画像投写手段からの前記変調光を前記窓部側に反射する反射部材を備えたことを特徴とする、プロジェクター。
【請求項５】
請求項１から４のいずれか一項に記載のプロジェクターであって、
前記プロジェクターの電源オン時において、前記シャッター位置検出手段により、前記シャッターが前記閉鎖位置にあることを検出した場合に、前記制御手段は、前記光源からの光を第２の画像に応じて変調し、前記変調された変調光を、前記画像投写手段より前記窓部を介して点滅させながら射出することを特徴とする、プロジェクター。
【請求項６】
請求項１から５のいずれか一項に記載のプロジェクターであって、
前記第１の画像は画像ミュート用の青色画像であることを特徴とする、プロジェクター。
【請求項７】
光源から射出された光を画像情報に応じて変調し、投写レンズを介して被投写面に投写光を投写する画像投写手段と、
当該プロジェクターの、筐体に設けられた前記投写レンズ用の開口部を、自在にスライドさせ覆う事ができるとともに、前記画像投写手段から前記被投写面に至る前記投写光を遮断するシャッターと、を有するプロジェクターの制御方法であって、
前記シャッターは、前記被投写面と対向する一面と、前記一面と交差する方向に設けられた他面と、前記他面に設けられた光透過性を有する窓部とが形成され、
前記シャッターが開放位置、閉鎖位置のいずれの位置にあるかを検出するシャッター位置ステップと、
前記シャッターが前記閉鎖位置にあることを検出した場合に、前記画像投写手段によって前記光源からの光を第１の画像に応じて変調し、前記変調された変調光を、前記画像投写手段より前記窓部を介して射出するステップを有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
プロジェクターを使ったプレゼンテーションにおいて、一時的に画像の投写を中止したい場合、例えば、特許文献１に示すような、スライド式のレンズシャッターを閉じることで画像投写を中止できるプロジェクターが知られている。
【先行技術文献】
【特許文献】
【０００３】
【特許文献１】特開２００７−２４０５５１号公報
【発明の概要】
【発明が解決しようとする課題】
【０００４】
しかしながら、レンズシャッターを閉じると投写光が遮断されるため、電源を切れ忘れてしまうことがあった。また、暗い部屋ではレンズシャッターを閉じて遮光することでプロジェクターの周囲が暗くなり、操作がし難くなるという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調し、投写レンズを介して被投写面に投写光を投写する画像投写手段を有するプロジェクターであって、当該プロジェクターの、筐体に設けられた前記投写レンズ用の開口部を、自在にスライドし閉塞するとともに、前記画像投写手段から前記被投写面に至る前記投写光を遮断するシャッターと、前記シャッターが開放位置、閉鎖位置のいずれの位置にあるかを検出するシャッター位置検出手段と、当該プロジェクターの動作を制御する制御手段と、を備え、前記シャッターは、前記被投写面と対向する一面と、前記一面と交差する方向に設けられた他面と、前記他面に形成された光透過性を有する窓部と、を有し、前記シャッター位置検出手段により、前記シャッターが前記閉鎖位置にあることを検出した場合に、前記制御手段は、前記光源からの光を第１の画像に応じて変調し、前記変調された変調光を、前記画像投写手段より前記窓部を介して射出することを特徴とする。
【０００７】
本適用例によれば、シャッターを閉鎖位置に移動した場合、シャッターに形成された光透過性を有する窓部より、第１の画像の射出光を確認できる。これにより、シャッターを閉鎖位置に移動した状態で、光源が点灯していることを確認でき、プロジェクターの電源の切り忘れを防止することが可能となる。
【０００８】
［適用例２］上記適用例に記載のプロジェクターにおいて、前記開口部は、当該プロジェクターの前記被投写面に対向する前面から前記前面に隣接し、鉛直方向上方に設けられた上面に連なって形成され、前記シャッターは、前記一面と、前記一面と略直交する前記他面と、で形成されるとともに、前記他面には、前記光透過性を有する窓部が配置されていることを特徴とする。
【０００９】
本適用例によれば、暗い部屋での投写中に、被投写面へ投写光が漏れるのを防止しながら、シャッターの他面に形成された光透過性を有する窓部からの射出光により、プロジェクター本体の操作をしやすくすることが可能となる。
【００１０】
［適用例３］上記適用例に記載のプロジェクターにおいて、前記筐体は、前記開口部に隣接する側面を有しており、前記シャッターは、蛇腹状に形成され、前記側面に収納されるとともに、当該シャッターにより前記開口部を閉塞した場合に、当該シャッターの前記他面となる部位に前記光透過性を有する窓部が配置されていることを特徴とする。
【００１１】
本適用例によれば、暗い部屋での投写中に、被投写面へ光が漏れるのを防止しながら、プロジェクターの筐体の側面に収納されるシャッターに形成された、光透過性を有する窓部からの射出光により、開口部を閉塞した状態で光源が点灯していることを確認でき、プロジェクターの電源の切り忘れを防止することが可能となる。
【００１２】
［適用例４］上記適用例に記載のプロジェクターにおいて、前記シャッターは、前記開口部を閉塞したときに前記画像投写手段からの前記変調光を前記窓部側に反射する反射部材を備えたことを特徴とする。
【００１３】
本適用例によれば、シャッターに備えられた反射部材により、窓部からの射出光をより明るくすることが可能となる。
【００１４】
［適用例５］上記適用例に記載のプロジェクターにおいて、前記プロジェクターの電源オン時において、前記シャッター位置検出手段により、前記シャッターが前記閉鎖位置にあることを検出した場合に、前記制御手段は、前記光源からの光を第２の画像に応じて変調し、前記変調された変調光を、前記画像投写手段より前記窓部を介して点滅させながら射出することを特徴とする。
【００１５】
本適用例によれば、シャッターが閉鎖位置にある状態でプロジェクターの電源オン操作をした場合、シャッターに形成された光透過性を有する窓部より、点滅する第２の画像の射出光を確認できるので、シャッターが閉鎖位置に移動したままだということをユーザーに認知させ、シャッターの開放を促すことが可能となる。
【００１６】
［適用例６］上記適用例に記載のプロジェクターにおいて、前記第１の画像は画像ミュート用の青色画像であることを特徴とする。
【００１７】
本適用例によれば、シャッターが閉鎖位置にあるときに光透過性を有する窓部から確認できる射出光が、青色画像であることで、シャッターが閉鎖位置であることを、より確認しやすくすることが可能となる。
【００１８】
［適用例７］本適用例に係るプロジェクターの制御方法は、光源から射出された光を画像情報に応じて変調し、投写レンズを介して被投写面に投写光を投写する画像投写手段と、当該プロジェクターの、筐体に設けられた前記投写レンズ用の開口部を、自在にスライドさせ覆う事ができるとともに、前記画像投写手段から前記被投写面に至る前記投写光を遮断するシャッターと、を有するプロジェクターの制御方法であって、前記シャッターは、前記被投写面と対向する一面と、前記一面と交差する方向に設けられた他面と、前記他面に設けられた光透過性を有する窓部とが形成され、前記シャッターが開放位置、閉鎖位置のいずれの位置にあるかを検出するシャッター位置ステップと、前記シャッターが前記閉鎖位置にあることを検出した場合に、前記画像投写手段によって前記光源からの光を第１の画像に応じて変調し、前記変調された変調光を、前記画像投写手段より前記窓部を介して射出するステップを有することを特徴とする。
【００１９】
本適用例によれば、シャッターを閉鎖位置に移動した場合、シャッターに形成された光透過性を有する窓部より、第１の画像の射出光を確認できる。これにより、シャッターを閉鎖位置に移動した状態で、光源が点灯していることを確認でき、プロジェクターの電源の切り忘れを防止することが可能となる。
【図面の簡単な説明】
【００２０】
【図１】プロジェクターの斜視図であり、（ａ）はシャッターが開放位置、（ｂ）はシャッターが閉鎖位置にあるときの状態を示す。
【図２】シャッター周辺の構造を部分的に示す断面図。
【図３】変形例１のプロジェクターの斜視図であり、（ａ）はシャッターが開放位置、（ｂ）はシャッターが閉鎖位置にあるときの状態を示す。
【図４】プロジェクターの回路構成を示すブロック図。
【図５】プロジェクターの動作を示すフローチャートであり、（ａ）は、プロジェクターが動作中にシャッター位置の移動を検出したとき、（ｂ）は、プロジェクターがスタンバイ中に電源オン操作を検出したときの動作を示すフローチャート。
【発明を実施するための形態】
【００２１】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２２】
（第１実施形態）
図１は本実施形態にかかるプロジェクターの斜視図であり、図１（ａ）はシャッター４が開放位置にあるとき、図１（ｂ）はシャッター４が閉鎖位置にあるときの状態を示す。
図１（ａ）、（ｂ）に示すように、プロジェクター１は、上面２ｔ、前面２ｆなどを有する筐体２によって装置本体が覆われた構成となっている。
【００２３】
なお、本実施形態においては、プロジェクター１に対して、投写方向でもある前面２ｆ方向を前方とし、前面２ｆの反対側である背面方向を後方とする。また、プロジェクター１から投写方向に向かった左右の方向を、左右方向とする。
さらに、前後方向、左右方向のそれぞれと交差する、鉛直方向の上方を上面２ｔ方向、あるいは上方として説明する。
【００２４】
筐体２の上面２ｔには、ユーザーにより入力操作が行われる複数の操作キーを備えた入力操作手段２３が備えられている。
筐体２の前面２ｆ、および前面２ｆに隣接する上面２ｔには、開口部３が連なって形成されており、開口部３の内側には、前方に向かって画像光を投写する投写レンズ１３が備えられている。
【００２５】
開口部３には、カバー部材としてのシャッター４が開閉可能に備えられており、開口部３をシャッター４で閉塞することによって、投写レンズ１３を保護するとともに投写光を遮光することが可能となっている。
【００２６】
シャッター４は、合成樹脂製により、一面と、一面と略直交する他面とで構成される略Ｌ字状体に形成されており、開口部３を覆う形で備えられている。シャッター４は、前面２ｆおよび上面２ｔの内側に備えられた不図示のスライド機構によって、筐体２の内側に収納可能に構成されている。
シャッター４の１つの辺には操作ツマミ４ａが一体に形成されており、操作ツマミ４ａを左右にスライドさせ操作することによって、シャッター４が左右にスライドし開口部３の開閉を行うことができる。
【００２７】
図１（ａ）に示すように、シャッター４をスライドさせて筐体２の内側に収納し、開口部３を開口させて投写レンズ１３からの投写光を遮断しない位置を「開放位置」と呼び、図１（ｂ）に示すように、シャッター４をスライドさせて筐体２の内側から移動し、開口部３を閉塞して投写レンズ１３からの投写光を遮断する位置を「閉鎖位置」と呼ぶ。
また、シャッター４の二面のうち、上方を構成する他面には光透過性を有する窓部４ｂ（以下、「光透過性を有する窓部」を略して「光透過性の窓部」という。）が備えられており、投写レンズ１３から投写される投写光（射出光）を透過させることができるようになっている。
【００２８】
図２は、本実施形態にかかるプロジェクターの、シャッター周辺の構造を部分的に示す断面図であり、シャッター４で開口部３を閉塞した状態を示す。
シャッター４の内側（投写レンズ１３のある側）には反射部材４ｃが備えられており、シャッター４が閉鎖位置にある状態では、投写レンズ１３から投写される投写光を、反射部材４ｃが窓部４ｂに向けて反射するようになっている。
また、筐体２の内側、シャッター４と隣接する部分にはシャッター４の位置を検出する図示しないフォトセンサーが配置されており、シャッター４が、開放位置、または閉鎖位置のいずれにあるかを判断することができるようになっている。
【００２９】
図４は、本実施形態にかかるプロジェクターの回路構成を示すブロック図である。
図４に示すように、プロジェクター１は、画像投写手段１０、制御手段２０、記憶手段２１、光源制御手段２５、入力操作手段２３、画像信号入力手段１８、画像信号処理手段１７、ＯＳＤ処理手段１６、シャッター位置検出手段１５、電源端子３０、電源部３１等で構成されており、これらは筐体２（図１）の内部に収容されている。
【００３０】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調し、投写レンズ１３から投写することによってスクリーンＳＣ等に画像を表示する。
【００３１】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００３２】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３３】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
なお、上記実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３４】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００３５】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００３６】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００３７】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信部（図示せず）と遠隔操作が可能なリモートコントローラー（図示せず）を有した構成としてもよい。
この場合、リモートコントローラーは、使用者の操作内容に応じた赤外線等の操作信号を発し、リモコン信号受信手段がこれを受信して制御情報として制御手段２０に伝達する。
【００３８】
画像信号入力手段１８は、上述したように複数の画像入力端子を備えており、各画像入力端子より、ビデオ再生装置やパーソナルコンピューター等、外部機器から、図示しないケーブルを介して画像情報が入力される。
【００３９】
画像信号処理手段１７は、画像信号入力手段１８から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００４０】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００４１】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００４２】
液晶駆動手段１４は本実施形態における画像形成部であり、ＯＳＤ処理手段１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４３】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４４】
光源制御手段２５は、制御手段２０の指示に基づいて、光源１１に対する電力の供給と停止とを制御し、光源１１の点灯、及び消灯を切り替える。
【００４５】
シャッター位置検出手段１５は、フォトセンサーや磁気センサー、メカスイッチなどで構成され、シャッター４を操作ツマミ４ａでスライド移動したときの位置が開放位置、または閉鎖位置のいずれの位置にあるかを検出し、その検出結果を制御手段２０に出力する。
【００４６】
次に、本実施形態のプロジェクター１の動作を図５（ａ）、（ｂ）のフローチャートを用いて説明する。
【００４７】
〔シャッター４の移動を検出したときの動作〕
図５（ａ）は、プロジェクター１が動作中（投写中）に、シャッター４の位置が移動したことを検出したときの動作を示すフローチャートである。
図５（ａ）に示すように、プロジェクター１が動作中にシャッター４の位置が変わった（移動した）ことを検出すると（ステップＳ１０１）、制御手段２０はシャッター４が開放位置から閉鎖位置に移動したか否かを調べる（ステップＳ１０２）。シャッター４が開放位置から閉鎖位置に移動した場合（ステップＳ１０２：Ｙ）、ステップＳ１０４に遷移する。シャッター４が開放位置から閉鎖位置に移動したのではない場合（ステップＳ１０２：Ｎ）、ステップＳ１０３に遷移する。
【００４８】
ステップＳ１０３において制御手段２０は、シャッター４が閉鎖位置から開放位置に移動したか否かを調べる。シャッター４が閉鎖位置から開放位置に移動した場合（ステップＳ１０３：Ｙ）、ステップＳ１０５に遷移する。シャッター４が閉鎖位置から開放位置に移動したのでない場合（ステップＳ１０３：Ｎ）、ステップＳ１０６に遷移する。
【００４９】
ステップＳ１０４において制御手段２０は、第１の画像を画像投写手段１０に投写させ、ステップＳ１０６に遷移する。このとき、シャッター４が閉鎖位置にあるため、第１の画像の射出光が窓部４ｂより射出される。
【００５０】
ステップＳ１０５において制御手段２０は、画像信号入力手段１８から入力する画像データを画像投写手段１０に投写させ、ステップＳ１０６に遷移する。
【００５１】
ステップＳ１０６において本動作フローを終了する。
【００５２】
〔電源オン操作を検出したときの動作〕
図５（ｂ）はプロジェクター１がスタンバイ（電源オフ）中に電源オン操作を検出したときの動作を示すフローチャートである。
図５（ｂ）に示すように、プロジェクター１がスタンバイ（電源オフ）中に入力操作手段２３より電源オン操作を検出すると（ステップＳ２０１）、制御手段２０は光源制御手段２５により光源１１を点灯させ（ステップＳ２０２）、ステップＳ２０３に遷移する。
【００５３】
ステップＳ２０３において制御手段２０は、シャッター４が開放位置にあるか否かを調べる。シャッター４が開放位置にある場合（ステップＳ２０３：Ｙ）、ステップＳ２０４に遷移する。シャッター４が開放位置にない場合、即ち閉鎖位置にある場合（ステップＳ２０３：Ｎ）、ステップＳ２０５に遷移する。
【００５４】
ステップＳ２０４において制御手段２０は、画像信号入力手段１８から入力する画像データを画像投写手段１０に投写させ、ステップＳ２０７に遷移する。
【００５５】
ステップＳ２０５において制御手段２０は、第２の画像を画像投写手段１０に点滅しながら投写させ、ステップＳ２０６に遷移する。このとき、シャッター４が閉鎖位置にあるため、第２の画像の投写光が反射部材４ｃにより反射され窓部４ｂより射出される。
【００５６】
ステップＳ２０６において制御手段２０は、シャッター４が開放位置にあるか否かを調べる。シャッター４が開放位置にある場合（ステップＳ２０６：Ｙ）、ステップＳ２０４に遷移する。シャッター４が開放位置にない場合、即ち閉鎖位置にある場合（ステップＳ２０６：Ｎ）、ステップＳ２０６の動作を繰り返す。
【００５７】
ステップＳ２０７において本動作フローを終了する。
【００５８】
以上説明したように、本実施形態のプロジェクター１によれば、シャッター４を閉鎖位置に移動した場合、シャッター４に形成された光透過性の窓部４ｂより、第１の画像の射出光を確認できる。これにより、シャッター４を閉鎖位置に移動した状態で、光源１１が点灯していることを確認でき、プロジェクター１の電源の切り忘れを防止すること可能となる。
【００５９】
また、プロジェクター１を暗い部屋で投写中に、前方のスクリーンＳＣへ投写光が漏れるのを防止しながら、シャッター４の他面に形成された光透過性の窓部４ｂからの射出光により、プロジェクター１の本体の操作をしやすくすることが可能となる。
【００６０】
また、シャッター４が閉鎖位置にある状態でプロジェクターの電源オン操作をした場合、シャッター４に形成された光透過性の窓部４ｂより、点滅する第２の画像の射出光を確認できるので、シャッター４が閉鎖位置に移動したままだということをユーザーに認知させ、シャッター４の開放を促すことが可能となる。
【００６１】
また、上記実施形態は、以下のように変更してもよい。
（変形例１）
本変形例のプロジェクターの構成を図３（ａ）、（ｂ）を用いて説明する。図３は本変形例のプロジェクター１の斜視図であり、図３（ａ）はシャッター４０が開放位置にあるとき、図３（ｂ）はシャッター４０が閉鎖位置にあるときの状態を示す。また、上記実施形態と同じ構成部材には同一符号を付し、ここではそれらの説明を省略又は簡略化する。
【００６２】
上述した実施形態において、シャッター４は、プロジェクター１の開口部３を覆う略Ｌ字状に形成され、上方の他面に光透過性の窓部４ｂが配置されているが、本変形例では、シャッター４０は蛇腹状に形成され、開口部３０に隣接する側面２ｌに収納される。また、シャッター４０は、開口部３０を閉塞したときに、開口部３０に隣接する側面２ｌの近傍に光透過性の窓部４ｂが配置されるように構成されている。
【００６３】
本変形例においては、図３（ａ）、（ｂ）に示すように、プロジェクター１は、上面２ｔ、前面２ｆ、側面２ｌ、前面２ｆと側面２ｌを結ぶ斜面２ｓなどを有する筐体２によって装置本体が覆われた構成となっている。
プロジェクター１は、前面２ｆから斜面２ｓに亘って開口部３０が形成され、開口部３０に隣接する側面２ｌに折れ曲がりながら移動して収納される蛇腹状のシャッター４０が備えられている。
シャッター４０の端部の一つの辺からは、操作ツマミ４０ａが一体に形成されており、操作ツマミ４０ａの一端が、上面２ｔに備えられたスリット５より突出するように形成されている。
【００６４】
図３（ａ）に示すように、操作ツマミ４０ａを後方（投写方向とは逆の方向）にスライドさせると、シャッター４０は前面２ｆから斜面２ｓを回り込みながら移動して側面２ｌの内側に収納され、開口部３０を開放して、投写レンズ１３を露出させる。
図３（ｂ）に示すように、操作ツマミ４０ａを前方（投写方向）にスライドさせると、シャッター４０は側面２ｌから引き出され、斜面２ｓを回り込みながら前面２ｆにまで移動し、シャッター４０の一面が開口部３０を閉塞する。このとき、シャッター４０が、斜面２ｓの開口部にかかる部位（他面）には光透過性の窓部４０ｂが配置されるように備えられている。
【００６５】
以上、説明したように本変形例のプロジェクター１によれば、シャッター４０の側面２ｌ側に備えられた、光透過性の窓部４０ｂより射出される射出光は、プロジェクター１の上方からの確認がしにくい設置環境にあったとしても、開口部３０を閉塞した状態で投写光が確認でき、光源１１が点灯していることを確認でき、プロジェクターの電源の切り忘れを防止することが可能となる。
【符号の説明】
【００６６】
１…プロジェクター、２…筐体、３，３０…開口部、４，４０…シャッター、４ａ，４０ａ…操作ツマミ、４ｂ，４０ｂ…窓部、４ｃ…反射部材、５…スリット、１０…画像投写手段、１１…光源、１２Ｒ，１２Ｇ，１２Ｂ…液晶ライトバルブ、１３…投写レンズ、１４…液晶駆動手段、１５…シャッター位置検出手段、１６…ＯＳＤ処理手段、１７…画像信号処理手段、１８…画像信号入力手段、２０…制御手段、２１…記憶手段、２３…入力操作手段、２５…光源制御手段、３０…電源端子、３１…電源部。
【図１】
2012230291.tif 000003
【図２】
2012230291.tif 000004
【図３】
2012230291.tif 000005
【図４】
2012230291.tif 000006
【図５】
2012230291.tif 000007